(57)【要約】【課題】液晶パネルに照射される光量を十分に確保することができる光源装置等を提供することにある。【解決手段】光源装置１は、導光板９と、該導光板９の一側端面に対向配置された光源７２とを備える光源装置１において、前記光源７２と前記導光板９との対向面間に配置され、前記導光板９に接合された蛍光体９１を備え、前記蛍光体９１及び導光板９の膨張率が略同一であり、前記蛍光体９は量子ドット９１Ａを形成してあることを特徴とし、前記蛍光体９１と導光板９との間で前記蛍光体９１を覆う覆い部５を備えることを特徴とする。【選択図】図２
2016177895.tif 000002
【特許請求の範囲】
【請求項１】
導光板と、該導光板の一側端面に対向配置された光源とを備える光源装置において、
前記光源と前記導光板との対向面間に配置され、前記導光板に接合された蛍光体を備え、
前記蛍光体及び導光板の膨張率が略同一であることを特徴とする光源装置。
【請求項２】
前記蛍光体は量子ドットを形成してあることを特徴とする請求項１に記載の光源装置。
【請求項３】
前記蛍光体と導光板との間で前記蛍光体を覆う覆い部を備えることを特徴とする請求項１又は請求項２に記載の光源装置。
【請求項４】
前記蛍光体の断面形状は、前記導光板に前記光源からの出射光を集束させる形状をなすことを特徴とする請求項１から請求項３のいずれか１つに記載の光源装置。
【請求項５】
前記蛍光体及び導光板の材質は、樹脂であることを特徴とする請求項１から請求項４のいずれか１つに記載の光源装置。
【請求項６】
前記蛍光体及び導光板の材質は、ガラスであることを特徴とする請求項１から請求項５のいずれか１つに記載の光源装置。
【請求項７】
請求項１から請求項６のいずれか１つに記載の光源装置と、
前記導光板の一広面に対向する表示パネルとを備え、
前記一広面からの出射光を前記表示パネルの背面に照射し、該表示パネルの正面に画像を表示するように構成してあることを特徴とする表示装置。
【請求項８】
請求項７に記載の表示装置と、
テレビジョン放送を受信する受信部とを備え、
前記受信部で受信したテレビジョン放送に基づいて前記表示装置で映像を表示するようにしてあること
を特徴とするテレビジョン受信機。
【発明の詳細な説明】
【技術分野】
【０００１】
本発明は、蛍光体を設けた光源装置等に関する。
【背景技術】
【０００２】
近年広く使用されている液晶表示装置は液晶パネルの背面側に光源装置を配し、光源装置の発光を液晶パネルにより変調して透過させ、該液晶パネルの正面に画像を表示するように構成されている。光源装置は、一面に開口部が形成された筐体の底板に載置された導光板、及び筺体に固定され、導光板の一側端面に対向配置された光源を備え、光源からの出射光を導光板に入射させ、入射させた光を一広面から出射するように構成されている。この種の光源装置においては、液晶パネルの表示画像の色再現性を上げるため、液晶パネルの背面に照射される光の各周波数の光量が適切であることが望ましく、入射した光の周波数を他の周波数に変換して出射する蛍光体を用いて適切な周波数分布の光を得るようにしている。
【０００３】
例えば特許文献１に記載の光源装置は、液晶パネルと導光板との間に配置し、保持部材により保持された蛍光体に入射させ、入射させた光の周波数を蛍光体が他の周波数に変換し、変換した光を液晶パネルに出射するように構成されている。
【先行技術文献】
【特許文献】
【０００４】
【特許文献１】特開２０１３−１５８１２号公報
【発明の概要】
【発明が解決しようとする課題】
【０００５】
しかし、特許文献１に記載の光源装置は、蛍光体と導光板との間に隙間が空いているため、光の乱反射又は漏れ等により液晶パネルに照射される光の量が低下するという問題があった。
【０００６】
本発明は斯かる事情に鑑みてなされたものであり、その目的とするところは、液晶パネルに照射される光量を十分に確保することができる光源装置等を提供することにある。
【課題を解決するための手段】
【０００７】
本発明に係る光源装置は、導光板と、該導光板の一側端面に対向配置された光源とを備える光源装置において、前記光源と前記導光板との対向面間に配置され、前記導光板に接合された蛍光体を備え、前記蛍光体及び導光板の膨張率が略同一であることを特徴とする。
【０００８】
本発明に係る光源装置は、前記蛍光体は量子ドットを形成してあることを特徴とする。
【０００９】
本発明に係る光源装置は、前記蛍光体と導光板との間で前記蛍光体を覆う覆い部を備えることを特徴とする。
【００１０】
本発明に係る光源装置は、前記蛍光体の断面形状は、前記導光板に前記光源からの出射光を集束させる形状をなすことを特徴とする。
【００１１】
本発明に係る光源装置は、前記蛍光体及び導光板の材質は、樹脂であることを特徴とする。
【００１２】
本発明に係る光源装置は、前記蛍光体及び導光板の材質は、ガラスであることを特徴とする。
【００１３】
本発明に係る表示装置は、前述の光源装置と、前記導光板の一広面に対向する表示パネルとを備え、前記一広面からの出射光を前記表示パネルの背面に照射し、該表示パネルの正面に画像を表示するように構成してあることを特徴とする。
【００１４】
本発明に係るテレビジョン受信機は、前述の表示装置と、テレビジョン放送を受信する受信部とを備え、前記受信部で受信したテレビジョン放送に基づいて前記表示装置で映像を表示するようにしてあることを特徴とする。
【発明の効果】
【００１５】
本発明によれば、液晶パネルに照射される光量を十分に確保することができる。
【図面の簡単な説明】
【００１６】
【図１】表示装置の一例を示す外観斜視図である。
【図２】図１のＩＩ−ＩＩ線による表示装置の縦断面図である。
【図３】実施の形態２の表示装置の要部をなす縦断面図である。
【発明を実施するための形態】
【００１７】
実施の形態１
以下、本発明をその実施の形態を示す図面に基づいて詳述する。以下の説明では各図中の上下、左右を使用する。
【００１８】
図１は表示装置の一例を示す外観斜視図である。図１に示すように、表示装置は、矩形板状をなす画像表示用の液晶パネル（表示パネル）２と、該液晶パネル２に光を照射する光源装置１とを備えている。以下の説明においては、液晶パネル２の画像表示面の側を正面側、他側を背面側とする。液晶パネル２には、枠体１０が、正面（画像表示面）の周縁を適幅に亘って縁取るように組み付けてある。図１には、枠体１０の枠内に露出する液晶パネル２の画像表示面のみが示されている。液晶パネル２の背面側には、光源装置１が組み付けてある。
【００１９】
表示装置は受信部２１及び信号処理部２２を備えるテレビジョン受信機として構成されている。受信部２１は、図示しないアンテナに接続され、該アンテナを介してテレビジョン放送を受信する。信号処理部２２は、受信部２１が受信したテレビジョン放送に係るデータを復調し、復調したデータから画像データを分離し、分離した画像データを出力する。液晶パネル２は、信号処理部２２が出力した画像データに基づく画像を画像表示面に表示する。
【００２０】
図２は図１のＩＩ−ＩＩ線による表示装置の縦断面図である。光源装置１は浅底箱型をなすバックライトシャーシ７と、バックライトシャーシ７内に収容された導光板９及び光源７２とを備える。
【００２１】
導光板９は透光性を有する板であり、例えばガラス又は樹脂等の素材で構成されている。導光板９には背面の全面に亘って反射シート６が積層されてある。導光板９は右側に向けてバックライトシャーシ７の底板上に放熱板７３及び支持材７４を介して支持されている。光源７２は細長い矩形の基板７１と、基板７１の一面に長手方向に沿って並設された複数のＬＥＤ（Light Emitting Diode：発光ダイオード）７０とを備えている。光源７２は、ＬＥＤ７０の並設側を蛍光体９１の下側端面に向け、図２に示す如く、バックライトシャーシ７の下辺に沿って放熱板７３に固定されている。
【００２２】
導光板９と光源７２との対向面間には接着剤９２により蛍光体９１が接合されてある。蛍光体９１は内部に量子ドット９１Ａを形成した棒状体９１Ｂであり、入射した光を入射した光の周波数とは異なる他の周波数の光に変換して外部に出射する。蛍光体９１は例えば細管に液体状の量子ドットを封入したものである。蛍光体９１の正背面方向の長さは導光板９の正背面方向の長さより長い。量子ドット９１Ａとは、量子閉じ込め効果を有する半導体粒子である。量子ドット９１Ａは量子ドット９１Ａの大きさに応じて変換する光の周波数が決定される。蛍光体９１には複数の大きさの量子ドット９１Ａが形成されており、入射した光の各周波数を各大きさに対応する周波数に変換している。蛍光体９１は変換した光を導光板９の側縁へ射出する。導光板９がガラスである場合、接着剤９２の素材は例えばケイ酸ナトリウムを主成分とする水ガラスであり、棒状体９１Ｂはガラスである。また導光板９が樹脂である場合、棒状体９１Ｂ及び接着剤９２も樹脂で構成される。すなわち導光板９、蛍光体９１及び接着剤９２は略同一の熱膨張率を有する素材で構成される。接着剤９２は導光板９と蛍光体９１との対向面間に塗布され、導光板９及び蛍光体９１を接合している。導光板９と光源７２との対向面間に覆い部５が配置されている。覆い部５は棒状体であり、導光板９の側縁、ＬＥＤ７０及び蛍光体９１の両側を覆っている。覆い部５は正面側に設置された正面覆い部５１と、背面側に設置された背面覆い部５２とを備える。正面覆い部５１はＵ字状をなし、背面覆い部５２はＨ字状をなす。正面覆い部５１は正面側から蛍光体９１を覆っている。背面覆い部５２は背面側から蛍光体９１を覆っている。正面覆い部５１は導光板９の側縁に正面側から当接する凸部５１Ａと、蛍光体９１を正面側から覆う凹部５１Ｂと、ＬＥＤ７０を正面側から覆う凸部５１Ｃとを備える。背面覆い部５２は反射シート６に背面側から当接する凸部５２Ａと、蛍光体９１を背面側から覆う凹部５２Ｂと、ＬＥＤ７０を正面側から覆う凸部５２Ｃとを備える。
【００２３】
以上のように構成された光源装置１において、光源７２の発光は蛍光体９１を通って導光板９の下側端面から入射する。蛍光体９１に入射した光は内部に入射した光の周波数とは異なる他の周波数の光に変換され、接着剤９２を介して導光板９の下側端面に入射される。導光板９に入射した光は反射シート６の被着面で全反射し、被着面とは逆側の面で部分反射し、導光板９中で拡散しながら進行して一広面から出射される。
【００２４】
表示装置は上述の光源装置１の導光板９に光学シート８を載置し、光学シート８の正面側に設けられた液晶パネル２を枠体１０に嵌め合わせることにより構成される。
【００２５】
以上の如く構成された表示装置において、光源装置１から出射された光は光学シート８による拡散を経て液晶パネル２の背面に照射される。液晶パネル２は、照射光を変調して透過させ、正面に画像を表示する。
【００２６】
本実施形態によれば、導光板９及び蛍光体９１は導光板９及び蛍光体９１の間に隙間無く密着されるので光の乱反射又は漏れ等を防止しつつ導光板９に入射される。このことにより液晶パネル２に照射される光量を十分に確保することができる。また保持部材で導光板９及び蛍光体９１を保持しないため、表示装置を従来に比べて軽量化することができる。
【００２７】
導光板９及び蛍光体９１は光源７２の発光に伴って発生する熱により熱膨張する。本実施形態によれば、導光板９及び蛍光体９１が熱膨張しても、導光板９及び蛍光体９１の熱膨張率が略同一であることで導光板９及び蛍光体９１の間で膨張の偏りを防止できるため、蛍光体９１が導光板９から剥離することを防止できる。
【００２８】
本実施形態によれば、蛍光体９１は覆い部５で覆われているため、蛍光体９１からの光の漏れを防止できるため、液晶パネル２に照射される光量をさらに十分に確保することができる。
【００２９】
本実施形態によれば、蛍光体９１は量子ドット９１Ａを用いている。量子ドット９１Ａは大きさを調整することで入射する光の周波数を他の周波数の光に変換することができるため、液晶パネル２の背面に照射される光を適切な周波数分布にすることができる。
【００３０】
実施の形態２
図３は実施の形態２の表示装置の要部をなす縦断面図である。以下、特に説明する構成、作用以外の構成及び作用は実施の形態１と同等であり、簡潔のため記載を省略する。導光板９と光源７２との対向面間に配置された蛍光体９１の縦断面の形状は例えば楕円形状をなし、長径方向を正背面方向にして設置されている（図３Ａ）。このため、蛍光体９１は集光するレンズとしての機能を有する。このことにより、光源７２からの出射光が導光板９の内部に集束されるため、効率的に導光板９に入射することができる。
【００３１】
蛍光体９１は縦断面の形状が略台形状をなす（図３Ｂ）。蛍光体９１は導光板９から背面側に突出した形状であり、蛍光体９１の下辺は上辺より背面側に長い。蛍光体９１の正面は導光板９の正面と平行であり、同一面上をなす。このため、光源７２から出射する光の内、背面側に向かうものを集めて、導光板９の一側端面に出射することができる。このことにより光源７２からの出射光が効率的に導光板９の内部に集束されるため、さらに効率的に導光板９に入射することができる。
【００３２】
蛍光体９１は縦断面の形状が矩形の上に台形を乗せた形状をなす（図３Ｃ）。蛍光体９１は導光板９の両側に突出した形状であり、蛍光体９１の下辺は上辺より正背面方向に長い。このため、光源７２から出射する光の内、両面側に向かうものを集めて、導光板９の一側端面に出射することができる。このことにより、光源７２からの出射光が効率的に導光板９の内部に集束されるため、さらに効率的に導光板９に入射することができる。
【００３３】
本発明に係る光源装置１は、導光板９と、該導光板９の一側端面に対向配置された光源７２とを備える光源装置１において、前記光源７２と前記導光板９との対向面間に配置され、前記導光板９に接合された蛍光体９１を備え、前記蛍光体９１及び導光板９の膨張率が略同一であることを特徴とする。
【００３４】
本実施形態によれば、導光板９及び蛍光体９１は導光板９及び蛍光体９１の間に隙間無く密着されるので光の乱反射又は漏れ等を防止しつつ導光板９に入射される。このことにより液晶パネル２に照射される光量を十分に確保することができる。また保持部材で導光板９及び蛍光体９１を保持しないため、表示装置を従来に比べて軽量化することができる。
【００３５】
本発明に係る光源装置１は、前記蛍光体９１は量子ドット９１Ａを形成してあることを特徴とする。
【００３６】
本実施形態によれば、蛍光体９１は量子ドット９１Ａを用いている。量子ドット９１Ａは大きさを調整することで入射する光の周波数を他の周波数の光に変換することができるため、液晶パネル２の背面に照射される光を適切な周波数分布にすることができる。
【００３７】
本発明に係る光源装置１は、前記蛍光体９１と導光板９との間で前記蛍光体９１を覆う覆い部５を備えることを特徴とする。
【００３８】
本実施形態によれば、蛍光体９１は覆い部５で覆われているため、蛍光体９１からの光の漏れを防止できるため、液晶パネル２に照射される光量をさらに十分に確保することができる。
【００３９】
本発明に係る光源装置１は、前記蛍光体９１の断面形状は、前記導光板９に前記光源７２からの出射光を集束させる形状をなすことを特徴とする。
【００４０】
このことにより光源７２からの出射光が効率的に導光板９の内部に集束されるため、さらに効率的に導光板９に入射することができる。
【００４１】
本発明に係る光源装置は、前記蛍光体９１及び導光板９の材質は、樹脂であることを特徴とする。
【００４２】
このことにより蛍光体９１を容易に細管上に形成することができるため、様々なサイズの光源装置１に対応することができる。
【００４３】
本発明に係る光源装置１は、前記蛍光体９１及び導光板９の材質は、ガラスであることを特徴とする。
【００４４】
このことにより安価に光源装置１を製造することができる。
【００４５】
本発明に係る表示装置は、前述の光源装置１と、前記導光板９の一広面に対向する表示パネル２とを備え、前記一広面からの出射光を前記表示パネル２の背面に照射し、該表示パネル２の正面に画像を表示するように構成してあることを特徴とする。
【００４６】
本発明に係るテレビジョン受信機は、前述の表示装置と、テレビジョン放送を受信する受信部２１とを備え、前記受信部２１で受信したテレビジョン放送に基づいて前記表示装置で映像を表示するようにしてあることを特徴とする。
【００４７】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００４８】
１  光源装置
２  液晶パネル（表示パネル）
５  覆い部
７２  光源
９  導光板
９１  蛍光体
【図１】
2016177895.tif 000003
【図２】
2016177895.tif 000004
【図３】
2016177895.tif 000005